(57)【特許請求の範囲】
【請求項１】
半導体部品が実装された主回路基板等を収容し、筐体は金属や導電性プラスチック、金属メッキを施した合成樹脂などの電気的導通がある材料で形成され、外観である表面に塗装が施された本体部と、
液晶表示装置等を収容し、筐体は金属や導電性プラスチック、金属メッキを施した合成樹脂などの電気的導通がある材料で形成され、外観である表面に塗装が施された表示部と、
前記本体部に前記表示部を回動可能に取付けるためのヒンジ部と、
前記ヒンジ部の回動中心と同心で軸方向に幅広の円弧面を前記表示部に有し、
前記円弧面又は前記円弧面に対向する本体部上面のいずれか一方に柔軟性のある電気的導電材料を設け、
前記本体部上面又は前記円弧面が前記電気的導電材料と接触しつつ相対的に回動し、前記本体部と前記表示部それぞれの筐体における電気的導通材料は、前記柔軟性のある電気的導電材料と、電気的に非導通である前記塗装とを介して電磁的に高周波レベルで導通するように構成したことを特徴とする電磁波低減構造を有する電子機器。
【請求項２】
前記ヒンジ部の回動中心と同心で軸方向に幅広の円弧面を本体部に有し、前記円弧面又は前記円弧面に対向する前記表示部下部のいずれか一方に柔軟性のある電気的導電材料を設けたことを特徴とする請求項１記載の電磁波低減構造を有する電子機器。
【請求項３】
柔軟性のある前記電気的導電材料は、電気的な導通を有する綿布と弾力性のある海綿状の合成樹脂とで構成されることを特徴とする請求項１又は請求項２記載の電磁波低減構造を有する電子機器。
【発明の詳細な説明】
【０００１】
【発明の属する技術分野】
本発明は本体部に回動可能に取付けられた表示部から放射される電磁波を低減する構造を有する電子機器に関する。
【０００２】
【従来の技術】
従来、ワードプロセッサーや携帯型コンピューター等の液晶表示装置等が収容された表示部を有する電子機器では、表示部の駆動回路基板から電磁波が放射され、これが不要輻射として電子機器本体の半導体部品が実装された主回路基板に影響を与えることを防止するため、電磁波のレベルを低減する種々の対策がとられている。
【０００３】
図３は従来の電磁波低減の構造を有する電子機器である携帯型コンピューターを示す外観斜視図であり、１１は主回路基板（図示せず）が収納される本体部、１２はヒンジ部１３で本体部１１に回動可能に取付けられ、液晶表示装置１４とその駆動回路基板（図示せず）が収納される表示部である。本体部１１と表示部１２の筐体は金属メッキを施したプラスチックで形成されている。駆動回路基板は主回路基板と信号線１５により接続されており、信号線１５を覆うようにシールド部材１６が巻かれている。このシールド部材１６の片端は、本体部１１のフレームグランドにネジなどの締結部材（図示せず）で接続されており、もう一方は、表示部１２のフレームグランドに接続されている。１８はデーターを入力するためのキーボードである。
【０００４】
これにより、表示部１２の筐体がシールド部材１６を通じ本体部１１の筐体に接地されるため、表示部１２より外部に放射される電磁波は表示部１２の筐体によりシールドされ、不要輻射のレベルは低減される。
【０００５】
【発明が解決しようとする課題】
前述した従来の電磁波低減構造を有する携帯型コンピューターでは、本体部と表示部のフレームグランドの接続が線材で行われるため、本体部と表示部が接続されるポイントが少なく、電磁的には不安定であり、表示部からの電磁波の放射を防ぐことは充分ではなかった。
【０００６】
本発明は、表示部と本体部との間が電磁的に安定した接続となり、表示部から放射される電磁波を低減することのできる構造を有する電子機器を提供することを目的とする。
【０００７】
【課題を解決するための手段】
この課題を解決するために本発明は、本体部のフレームグランドである筐体に柔軟性のある電気的導電材料を電気的に導通があるように配置して、さらに、表示部が任意の回転位置の状態でも、柔軟性のある電気的導電材料が表示部のフレームグランドである筐体に幅広い範囲で接触するように構成したものである。
【０００８】
これにより、表示部のフレームグランドが電磁的に安定になり、表示部から放射される電磁波のレベルを低減する効果が得られる。
【０００９】
【発明の実施の形態】
本発明の請求項１に記載の発明は、
半導体部品が実装された主回路基板等を収容し、筐体は金属や導電性プラスチック、金属メッキを施した合成樹脂などの電気的導通がある材料で形成され、外観である表面に塗装が施された本体部と、
液晶表示装置等を収容し、筐体は金属や導電性プラスチック、金属メッキを施した合成樹脂などの電気的導通がある材料で形成され、外観である表面に塗装が施された表示部と、
前記本体部に前記表示部を回動可能に取付けるためのヒンジ部と、
前記ヒンジ部の回動中心と同心で軸方向に幅広の円弧面を前記表示部に有し、
前記円弧面又は前記円弧面に対向する本体部上面のいずれか一方に柔軟性のある電気的導電材料を設け、
前記本体部上面又は前記円弧面が前記電気的導電材料と接触しつつ相対的に回動し、前記本体部と前記表示部それぞれの筐体における電気的導通材料は、前記柔軟性のある電気的導電材料と、電気的に非導通である前記塗装とを介して電磁的に高周波レベルで導通するように構成したことを特徴とする電磁波低減構造を有する電子機器であり、
表示部の開閉を妨げることなく滑らかで、かつ、幅広い範囲での本体部と表示部のフレームグランドである筐体間を安定して接触させられるという作用を有する。また、電気的に非接触であるため、接触による雑音の発生がないという作用を有する。また、本体部と表示部表面に化粧のための塗装が施されて金属部材が露出しないため、錆などの発生がなく、外観上の見栄えもよいという作用を有する。
【００１０】
請求項２に記載の発明は、ヒンジ部の回動中心と同心で軸方向に幅広の円弧面を本体部に有し、前記円弧面又は前記円弧面に対向する表示部下部のいずれか一方に柔軟性のある電気的導電材料を設けたことを特徴とするもので、請求項１と同様に、表示部の開閉を妨げることなく滑らかで、かつ、幅広い範囲での本体部と表示部のフレームグランドである筐体間を安定して接触させられるという作用を有する。
【００１１】
請求項３に記載の発明は、柔軟性のある電気的導電材料を、電気的な導通を有する綿布と弾力性のある海綿状の合成樹脂とで構成したもので、表示部の開閉を妨げることなく滑らかで、かつ、本体部と表示部を安定して接触させることができるという作用を有する。
【００１４】
以下、本発明の実施の形態について、図１を用いて説明する。
（実施の形態１）
図１（ａ）は本発明の電磁波低減の構造を有する電子機器である携帯型コンピューターを示す外観斜視図であり、１は主回路基板（図示せず）が収納される本体部、２はヒンジ部３で本体部１に回動可能に取付けられ、液晶表示装置４とその駆動回路基板（図示せず）が収納される表示部である。本体部１と表示部２の筐体は金属メッキを施したプラスチックで形成され、表面に化粧のための塗装が施されている。また、表示部２の下部は図１（ｂ）で示すようにヒンジ部３の回動中心３ａと同心状の幅広い円弧面２ａとなっており、円弧面２ａに対向する本体部１の上面には金属メッキを施し電気的な導通を有する綿布５ａと弾力性のあるスポンジ５ｂとで構成された電気的導電材料５が円弧面２ａの幅に合わせて取付けられている。駆動回路基板は主回路基板と信号線（図示せず）により接続されている。６はデータを入力するためのキーボードである。
【００１５】
以上のように構成された電子機器において、以下その動作について説明する。ヒンジ部３により回動可能に本体部１に取付けられている表示部２は、表示位置を適正にするための角度に回動したときにその円弧面２ａが本体部１に取付けられている電気的導電材料５と常に接触する。電気的導電材料５は、綿布５ａとスポンジのような海綿状の弾性材料５ｂとから構成されているため、表示部２の開閉を妨げることなく滑らかに、かつ、幅広い範囲で、本体部１と表示部２のフレームグランドである筐体間で安定して接触する。
【００１６】
これにより、表示部２は本体部１とは電気的導電材料５を介した接触となり、本体部１と表示部２は表面に塗装が施されているため、電気的にはこの部分では導通しないが、電磁的に高周波レベルでは導通する。このため、結果的に表示部からの電磁波を防ぎ不要輻射を低減することができる。しかも幅広い範囲で接触しているため、従来の電磁波低減構造に比べ非常に効果が大きい。図２に従来の携帯型コンピューターとの不要輻射レベルの比較データを示す。図２（ａ）は従来例、図２（ｂ）は本実施の形態のものである。不要輻射のレベルは特に高周波での差が大きく効果が大きいことがわかる。
【００１７】
また、電気的導電材料５が接触する表示部２の円弧面２ａは塗装したままで金属面を露出させることがないため、雑音や錆などの発生がなく、外観上の見栄えも悪くならない。
【００１８】
なお、以上の説明では、柔軟性のある電気的導電材料をスポンジと電気的な導通を施した織布で構成した例で説明したが、柔軟性のある導電材料であれば何でもよく、例えば中空の導電ゴムのようなものでもよい。
【００１９】
また、本実施の形態では円弧部を表示部側に設け、電気的導電材料を本体部側に設けたが、逆に円弧部を本体部側に設け、電気的導電材料を表示部側に設けてもよいことはいうまでもない。
【００２０】
また、電気的導電材料が円弧部を有し、接触する相手側が円弧部を有していないものでもよい。
【００２１】
【発明の効果】
以上のように本発明によれば、表示部の開閉を妨げることなく滑らかで、かつ、幅広い範囲での本体部と表示部とのフレームグランドである筐体間を、高周波レベルでは電磁的に安定して接続できる。さらに、金属部材を露出させる必要がないため外観上の見栄えもよくできるという有利な効果が得られる。
【図面の簡単な説明】
【図１】本発明の一実施の形態による携帯型コンピューターの外観斜視図
【図２】本発明の一実施の形態による携帯型コンピューターと従来の携帯型コンピューターとの不要輻射レベルの比較データを示す図
【図３】従来の携帯型コンピューターの外観斜視図
【符号の説明】
１  本体部
２  表示部
２ａ  円弧面
３  ヒンジ部
５  電気的導電材料
【図１】
0003837831.tif 000002
【図２】
0003837831.tif 000003
【図３】
0003837831.tif 000004